(57)【要約】      （修正有）【課題】消費者の衣服が角に引っ掛かり損壊することを回避でき、価格表示板の滑落を防止し、さらに見た目が美しい陳列棚の棚板構造を提供する。【解決手段】棚板構造１は前、後下側片２１，２２を備える矩形板２を備え、第一、第二サポート板３，４は前下側片２１の下に設置し、第二サポート板４はサポート片４１、前上側片４２、右、左延伸片４３，４４を備え、サポート片４１と矩形板下表面とは連接し、前下側片２１に隣接する。前上側片４２はサポート片４１の前下側片２１の片側から上方へと延伸し、前下側片の外側に位置し、前上、下側片４２，２１との間は間隔を空け、溝を形成する。右、左延伸片４３，４４は前上側片４２の右、左端から外へとそれぞれ延伸し、右、左弧状部４３１，４４１を形成し、さらに後下側片２２方向へと延伸し右、左径方向部４３２，４４２を形成する。右、左弧状部は矩形板に相対して露出し、右、左径方向部は矩形板の下に位置する。Ｌ型右、左側板５，６はそれぞれ右径方向部及び左径方向部を覆う。【選択図】図１
0003190675.tif 000002
【実用新案登録請求の範囲】
【請求項１】
棚板構造は、矩形板、第一サポート板、第二サポート板、L型右側板、L型左側板を備え、
前記矩形板の相対する２個の長辺側は、それぞれ下方へと延伸し、前下側片及び後下側片を形成し、
前記第一サポート板は、前記矩形板の下表面に設置し、前記後下側片の位置に隣接し、
前記第二サポート板は、前記矩形板の下表面に設置し、前記前下側片の位置に隣接し、前記第二サポート板は、サポート片、前上側片、右延伸片及び左延伸片を備え、
前記サポート片と前記矩形板の下表面とは連接し、前記前下側片の位置に隣接し、前記前上側片は、前記サポート片の前下側片に隣接する片側から、上方へと延伸して設置し、前記前下側片の外側に位置し、しかも前記前上側片と前記前下側片との間は、相互に間隔を開けて溝を形成し、
前記右延伸片は、前記前上側片の右端から外へと延伸し、弧状を呈して前記後下側片の方向へとサポート片に隣接して延伸し、右弧状部を形成し、さらに前記後下側片の方向へと延伸し、右径方向部を形成し、これにより前記右延伸片の右弧状部は、前記矩形板に相対して露出し、前記右径方向部は、前記矩形板の下方に位置し、
前記左延伸片は、前記前上側片の左端から外へと延伸し、弧状を呈して前記後下側片の方向へとサポート片に隣接して延伸し、左弧状部を形成し、さらに前記後下側片の方向へと延伸し、左径方向部を形成し、これにより前記左延伸片の左弧状部は、前記矩形板に相対して露出し、前記左径方向部は、前記矩形板の下方に位置し、
前記L型右側板は、相互に垂直に連接する右水平部及び右垂直部を備え、前記右水平部は、前記矩形板の右端下方に連接し、しかも前記右垂直部は、前記右径方向部を覆い、
前記L型左側板は、相互に垂直に連接する左水平部及び左垂直部を備え、前記左水平部は、前記矩形板の左端下方に連接し、しかも前記左垂直部は、前記左径方向部を覆うことを特徴とする棚板構造。
【請求項２】
前記棚板構造は、一組のフレームアーム上を跨いで設置し、
前記一組のフレームアームは、一組のサポートフレームに取り外し可能状に設置することを特徴とする請求項１に記載の棚板構造。
【考案の詳細な説明】
【技術分野】
【０００１】
本考案は陳列棚に関し、特に陳列棚の棚板構造に関する。
【背景技術】
【０００２】
特許文献１に示すように、一般の陳列棚の棚板では、棚板フレームの前側は内下側へと曲り前卷板を形成する。
しかも、後側は下方へと延伸し後板を形成し、両側及び中段位置は、下方にそれぞれ２個のL形側板及びサポート板を溶接して固定し、２個のアームフレームを係合して設置するフレーム棒側辺へと重なる。
これにより、２個のアームフレームは、２個のL形側板とサポート板間により、それぞれ通して定位される。
【０００３】
しかし、２個のアームフレームは、棚板フレームの両側端に位置し、中央部は、サポート板の強化作用にのみ頼っているため、負荷能力は充分でない。
しかも、L形側板とサポート板とは共に、その後に溶接する構成部材で、一体性パーツではないため、全体的な強度において不足がある。
しかも、角が直角であるため、消費者の衣服を引っ掛けて損壊し、或いは消費者に怪我を負わせる恐れがある。
【０００４】
上記した特許文献１の図４〜６に示すように、棚板フレームの別種の実施形態は前、後側が内下側へと曲り前、後卷板を形成する。
しかも、両側は下へと延伸し両側板を形成し、板間には隙口を形成する。
後卷板の両側の適当な位置には、それぞれ通溝を開設し、サポートカバーフレーム前段には、溝を陥没状に設置し、前卷板を覆う。
しかも、後段の連結板と棚板フレーム底部とは溶接し、両側の適当な位置には、通溝とちょうど相対する欠口を開設する。
２個のアームフレームは、フレーム棒上に嵌合して設置し、棚板フレームは、２個のアームフレームを跨いで設置し、通溝に挿入される。
次に、棚板フレームを水平に押し、２個のアームフレームの前端を、欠口内に挿入して定位する。
【０００５】
上述の棚板角は湾曲角ではあるが、延伸する径方向部分は露出しているため、やはり消費者の衣服を損壊し、或いは消費者に怪我を負わせる恐れがある。
本考案は、従来の棚板構造の上記した欠点に鑑みてなされたものである。
【先行技術文献】
【特許文献】
【０００６】
【特許文献１】台湾特許番号第Ｍ４１５６２５号
【考案の概要】
【考案が解決しようとする課題】
【０００７】
本考案が解決しようとする課題は、消費者の衣服が角に引っ掛かり損壊することを回避でき、しかも２個の延伸片の設置により価格表示板を押さえ滑落を防止し、さらに角の弧状部は消費者に怪我を負わせることを回避でき、しかも見た目が美しい棚板構造を提供することである。
【課題を解決するための手段】
【０００８】
上記課題を解決するため、本考案は下記の棚板構造を提供する。
棚板構造は、棚板構造は、矩形板、第一サポート板、第二サポート板、L型右側板、L型左側板を備え、
前記矩形板の相対する２個の長辺側は、それぞれ下方へと延伸し、前下側片及び後下側片を形成し、前記第一サポート板は、前記矩形板の下表面に設置し、前記後下側片の位置に隣接し、
前記第二サポート板は、前記矩形板の下表面に設置し、前記前下側片の位置に隣接し、第二サポート板は、サポート片、前上側片、右延伸片及び左延伸片を備え、
前記サポート片と前記矩形板の下表面とは連接し、前下側片の位置に隣接し、前記前上側片は、前記サポート片の前下側片に隣接する片側から、上方へと延伸して設置し、前下側片の外側に位置し、しかも前記前上側片と前記前下側片との間は、相互に間隔を開けて溝を形成し、
前記右延伸片は、前記前上側片の右端から外へと延伸し、弧状を呈して後下側片の方向へとサポート片に隣接して延伸し、右弧状部を形成し、さらに前記後下側の片方向へと延伸し、右径方向部を形成し、
これにより、前記右延伸片の右弧状部は、矩形板に相対して露出し、前記右径方向部は、矩形板の下方に位置し、
前記左延伸片は、前記前上側片の左端から外へと延伸し、弧状を呈して後下側片の方向へとサポート片に隣接して延伸し、左弧状部を形成し、さらに前記後下側片の方向へと延伸し、左径方向部を形成し、
これにより、前記左延伸片の左弧状部は、矩形板に相対して露出し、前記左径方向部は、矩形板の下方に位置し、
前記L型右側板は、相互に垂直に連接する右水平部及び右垂直部を備え、前記右水平部は、前記矩形板の右端下方に連接し、しかも前記右垂直部は、前記右径方向部を覆い、
前記L型左側板は、相互に垂直に連接する左水平部及び左垂直部を備え、前記左水平部は、前記矩形板の左端下方に連接し、しかも前記左垂直部は、前記左径方向部を覆い、
前記棚板構造は、一組のフレームアーム上を跨いで設置し、前記一組のフレームアームは、一組のサポートフレームに取り外し可能状に設置する。
【考案の効果】
【０００９】
本考案の棚板構造は、消費者の衣服が角に引っ掛かり損壊することを回避でき、しかも２個の延伸片の設置により価格表示板を押さえ滑落を防止し、さらに角の弧状部は消費者に怪我を負わせることを回避でき、しかも見た目が美しい。
【図面の簡単な説明】
【００１０】
【図１】本考案の棚板構造の分解模式図である。
【図２】本考案の棚板構造の外観模式図である。
【図３】本考案の棚板構造角位置の局部模式図である。
【図４】図３の裏面から見た模式図である。
【図５】図３の平面透視図である。
【図６】本考案の棚板構造を陳列棚に使用した時の模式図である。
【考案を実施するための形態】
【００１１】
以下に図面を参照しながら本考案を実施するための最良の形態について詳細に説明する。
【実施例】
【００１２】
図１は、本考案の棚板構造の分解模式図で、図２は、本考案の棚板構造の外観模式図で、図３は、本考案の棚板構造角位置の局部模式図で、図４は図３の裏面の模式図で、図５は、図３の平面透視図で、図６は、本考案の棚板構造を陳列棚に使用した時の模式図である。
【００１３】
本考案の棚板構造1は、図１に示す通り、矩形板2、第一サポート板3、第二サポート板4、L型右側板5及びL型側板6を備える。
【００１４】
図１に示す通り、矩形板2の相対する２個の長辺側は、それぞれ下方へと延伸し、前下側片21及び後下側片22を形成する。
【００１５】
図１に示す通り、第一サポート板3は、矩形板2の下表面に設置し、後下側片22の位置に隣接する。
【００１６】
図１に示す通り、第二サポート板4は、矩形板2の下表面に設置し、前下側片21の位置に隣接する。
第二サポート板4は、サポート片41、サポート片41の前側にある前上側片42、右端に位置する右延伸片43、及び、左端に位置する延伸片44を備える。
サポート片41は、矩形板2の下表面と連接し、前下側片21の位置に隣接する。
前上側片42は、前下側片21に隣接するサポート片41の片側端部から、上方へと延伸して設置し、前下側片21の前側の外側に位置する。
しかも、前上側片42と前下側片21との間は、相互に間隔を開けて溝45（図３参照）を形成し、これにより価格表示板(図示なし)を設置することができる。
【００１７】
図１に示す通り、右延伸片43は、前上側片42の右端から外へと延伸し、弧状を呈して、後下側片22の方向へとサポート片41に隣接して延伸し、右弧状部431を形成し、さらに、後下側片22の方向へと延伸し、右径方向部432を形成する。
これにより、図３、図４、図５に示す通り、右延伸片43の右弧状部431は、矩形板2に相対して露出し、右径方向部432は、矩形板2の下方に位置する。
同様に、左延伸片44は、前上側片42の左端から外へと延伸し、弧状を呈して後下側片22の方向へとサポート片41に隣接して延伸し、左弧状部441を形成し、さらに後下側片22の方向へと延伸して左径方向部442を形成する。
これにより左延伸片44の左弧状部441は、矩形板2に相対して露出し、左径方向部442は、矩形板2の下方に位置する。
【００１８】
図１に示す通り、L型右側板5は、相互に垂直に連接する右水平部51及び右垂直部52を備える。
右水平部51は、図３に示す通り、矩形板2の右端下方に連接し、しかも右垂直部52は、右径方向部432を覆う。
【００１９】
図１に示す通り、L型左側板6は、相互に垂直に連接する左水平部61及び左垂直部62を備える。
左水平部61は、矩形板2の左端下方に連接し、しかも、左垂直部62は、左径方向部442を覆う。
【００２０】
本考案の棚板構造1は、図６に示す通り、一組のフレームアーム200上を跨いで設置する。
一組のフレームアーム200は、取り外し可能状に一組のサポートフレーム100に設置し、これにより展示物品(図示なし)を載せることができる。
【００２１】
上述の構造により、本考案の棚板構造1は、消費者の衣服が角に引っ掛かり損壊することを回避でき、さらに２個の延伸片の設置により価格表示板を押さえ滑落を防止し、しかも棚板構造1の角は弧状を呈するため消費者に怪我を負わせることはなく、しかも見た目が美しい。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
1  棚板構造
2  矩形板
21  前下側片
22  後下側片
3  第一サポート板
4  第二サポート板
41  サポート片
42  前上側片
43  右延伸片
431  右弧状部
432  右径方向部
44  左延伸片
441  左弧状部
442  左径方向部
45  溝
5  L型右側板
51  右水平部
52  右垂直部
6  L型左側板
61  左水平部
62  左垂直部
100  サポートフレーム
200  フレームアーム
【図１】
0003190675.tif 000003
【図２】
0003190675.tif 000004
【図３】
0003190675.tif 000005
【図４】
0003190675.tif 000006
【図５】
0003190675.tif 000007
【図６】
0003190675.tif 000008